(57)【特許請求の範囲】
【請求項１】
集合住宅内の各住戸に設置され、各種のセキュリティーセンサを接続した住宅情報盤に、多重信号線を介して接続され、各住戸における火災、ガス漏れ、防犯などの警報状態を表示させる警報表示部を備えた集合住宅用警報監視盤において、
上記警報表示部には、発生した警報種別の項目を表示する警報表示窓部と警報を発生した住戸番号を表示する住戸表示部と一覧性表示スイッチとを備え、
その一覧性表示スイッチを操作させたときには、上記住戸表示部には、警報を発生した住戸番号を表示するとともに、上記警報表示部には、発生した警報種別の項目を頭文字や略文字で同時に複数表示する集合住宅用警報監視盤。
【請求項２】
請求項１において、上記警報表示部には、
表示過剰灯と、表示送りスイッチとを更に備え、
上記表示過剰灯は、住戸表示部に住戸番号が表示されたときに、その住戸番号に対して、上記警報表示窓部に表示されるべき警報種別の項目が残されているときに点灯あるいは点滅し、その点灯あるいは点滅しているときに、上記表示送りスイッチを操作させることによって、上記警報表示窓部に、警報種別の項目を順次表示させて行く構成としている集合住宅用警報監視盤。
【請求項３】
請求項１において、上記警報表示部には、
表示過剰灯と、表示送りスイッチとを上記警報表示窓部、上記住戸表示部のそれぞれに対応して更に備え、
上記警報表示窓部、住戸表示部のいずれか、あるいは双方の表示過剰灯が点灯あるいは点滅しているときに、それぞれに対応した表示送りスイッチを操作したときには、上記警報表示窓部、上記住戸表示部のいずれか、あるいは双方に表示されていない表示項目を順次表示させる構成としている集合住宅用警報監視盤。
【請求項４】
請求項１〜３のいずれかにおいて、上記警報表示部には、警報／トラブル切換スイッチを更に備え、
この警報／トラブル切換スイッチの操作によって、上記警報表示窓部に、警報種別を表示する警報表示モードと、
上記集合住宅用警報監視盤が監視する各機器、信号線などのトラブル種別の項目を表示するトラブル表示モードとに切換える構成としている集合住宅用警報監視盤。
【請求項５】
請求項１〜４のいずれかにおいて、
上記警報種別または上記トラブル種別の項目の表示には、警報またはトラブル通知を発生した機器の機器コードも含むようにしている集合住宅用警報監視盤。
【請求項６】
請求項１〜５のいずれかにおいて、上記警報表示部には、
表示戻しスイッチを更に備え、
その表示戻しスイッチを操作したときには、上記警報表示窓部に表示されている表示項目を、上記住戸表示部に表示された住戸番号とともに、前の住戸番号に対応した表示項目に順次遡って表示させる構成としている集合住宅用警報監視盤。
【請求項７】
請求項１〜６のいずれかにおいて、上記警報種別またはトラブル種別の項目を上記警報表示窓部に表示する場合に、試験警報の正常あるいは異常、またはトラブルの有無に対応させて異なる表示としている集合住宅用警報監視盤。
【発明の詳細な説明】
【０００１】
【発明の属する技術分野】
本発明は、各住戸に設置され各種のセキュリティーセンサを接続した住宅情報盤に接続され、各住戸における火災、ガス漏れ、防犯などの警報状態を表示させる警報表示部を備えた集合住宅用警報監視盤において、各住戸毎の多種類の警報表示の改善に関する。
【０００２】
【従来の技術】
従来からマンションなどの集合住宅では、管理人室などに警報監視盤が設置され、この警報監視盤は、各住戸に設置された住宅情報盤に接続され、集合住宅内の警報の監視、各住戸との通話などが出来るようになっている。
そのために、警報監視盤には、各住戸の住宅情報盤が検知した火災の発生、ガス漏れ、防犯などの警報信号を受けて、住戸毎にその警報種別の項目を表示させる警報表示部を有しており、管理人は、その警報表示部を見て、警報が発生した住戸とその警報の内容を判断して、警報が発生した住戸と連絡をとり、適切な対応をすることができる。
【０００３】
図９は、このような従来の警報監視盤の警報表示部の一例を示す図である。
図９において、１０１は警報表示部、１０２は各種の警報の検知・非検知を表示するＬＥＤ、１０３は住戸番号を表示する７セグメントＬＥＤからなる住戸表示部、１０４は住戸番号切替えボタンである。
この警報表示部１０１では、例えば、番号５０の住戸で、火災センサが火災を検知したときには、住戸表示部１０３に住戸番号「００５０」が表示され、ＬＥＤ１０２では、火災の部分のＬＥＤが点灯するようになっている。したがって、管理人は、この表示を見て、火災センサの検知、その警報場所を知ることができる。  しかし、このような警報表示部を有する集合住宅用警報監視盤では、警報種別毎にＬＥＤが設置されているために、警報種別が増えるとその分だけ、表示用のＬＥＤを増やす必要があり、仕様変更が困難であり、またコストも高くなる。
【０００４】
図１０は、この問題を解決した従来の警報監視盤の警報表示部の他の一例を示す図である。
図１０において、２０１は警報表示部、２０２は警報種別を文字表示するＬＥＤを８個並べた警報表示窓部、２０３は住戸番号を表示する７セグメントＬＥＤからなる住戸表示部、２０４は住戸番号切替えボタン、２０５は次表示ボタンである。
【０００５】
この警報表示部２０１では、例えば、番号１００の住戸で、火災センサが火災を検知したときには、住戸表示部２０３に住戸番号「０１００」が表示され、警報表示窓部２０２には、「火災」の文字が表示される。ガス漏れセンサがガス漏れを検知したときには、「ガス漏れ」と表示される。このようにすると、一つの表示窓部で、多種類の警報種別の項目を表示させることができ、また、警報種別の項目が増えた場合にも、ソフト的に簡単に対応することができる。
【０００６】
しかし、このような警報表示部を有する従来の警報監視盤では、その警報監視盤や接続機器の施工後に動作試験をするときや点検をする場合のように、一度にすべての警報監視項目をチェックするときには、順次表示させて、一つ一つチェックする必要があり、時間がかかる。
さらに、警報表示窓部が、警報表示だけでなく、機器の故障、配線の断線、電源の遮断、予備電池の消耗などのトラブル表示にも対応できると便利である。
【０００７】
【発明が解決しようとする課題】
本発明は、上記事情に鑑みて提案されたものであり、施工後の動作試験時などに、必要に応じて、各住戸毎の多種類の警報種別の項目を分かりやすく、かつ一覧形式で表示させることができ、またトラブル表示にも対応でき、表示項目の変更にも柔軟に対応でき、コストダウンが可能な警報表示部を有する集合住宅用警報監視盤を提供することを課題としている。
【０００８】
【課題を解決するための手段】
上記課題を達成するために提案される、本発明の請求項１に記載の集合住宅用警報監視盤は、住宅集合住宅内の各住戸に設置され、各種のセキュリティーセンサを接続した住宅情報盤に、多重信号線を介して接続され、各住戸における火災、ガス漏れ、防犯などの警報状態を表示させる警報表示部を備えた集合住宅用警報監視盤において、上記警報表示部には、発生した警報種別の項目を表示する警報表示窓部と警報を発生した住戸番号を表示する住戸表示部と一覧性表示スイッチとを備え、その一覧性表示スイッチを操作させたときには、上記住戸表示部には、警報を発生した住戸番号を表示するとともに、上記警報表示部には、発生した警報種別の項目を頭文字や略文字で同時に複数表示するようにしている。
【０００９】
ここに、一覧性表示スイッチは、集合住宅警報監視システムが施工された後、警報監視盤が住宅情報盤を介して監視する、各住居などに設置した火災、ガス漏れ、防犯センサなどのセキュリティーセンサなどの動作試験を行う場合などに操作すると、住戸表示部には試験対象となる住戸番号、警報表示窓部にはその住戸に対して試験発報させて動作を確認したセキュリティーセンサによる警報種別の項目が、頭文字や略文字で一覧性形式で表示されるようになっている。
【００１０】
請求項２に記載の集合住宅用警報監視盤は、請求項１において、上記警報表示部には、表示過剰灯と、表示送りスイッチとを更に備え、上記表示過剰灯は、住戸表示部に住戸番号が表示されたときに、その住戸番号に対して、上記警報表示窓部に表示されるべき警報種別の項目が残されているときに点灯あるいは点滅し、その点灯あるいは点滅しているときに、上記表示送りスイッチを操作させることによって、上記警報表示窓部に、警報種別の項目を順次表示させて行く構成としている。
【００１１】
１つの住戸番号に対応して試験動作を行った試験項目が複数存在する場合に、警報表示部に表示仕切れない警報項目が存在する場合には、表示過剰灯が点灯あるいは点滅しているので、その間、表示送りスイッチを操作すれば、警報表示窓部に表示されていない警報項目を順次表示させることができる。
請求項３に記載の集合住宅用警報監視盤は、請求項１において、上記警報表示部には、表示過剰灯と、表示送りスイッチとを上記警報表示窓部、上記住戸表示部のそれぞれに対応して更に備え、上記警報表示窓部、住戸表示部のいずれか、あるいは双方の表示過剰灯が点灯あるいは点滅しているときに、それぞれに対応した表示送りスイッチを操作したときには、上記警報表示窓部、上記住戸表示部のいずれか、あるいは双方に表示されていない表示項目を順次表示させる構成としている。
【００１２】
警報監視盤において、住戸表示部に表示すべき住戸番号や、警報表示窓部に表示すべき警報項目が一度に表示できない場合には、それぞれに対応して設けた表示過剰灯が点灯あるいは点滅するので、表示送りスイッチを操作すれば、順次警報項目や住戸番号を表示して、確認することが出来る。
請求項４に記載の集合住宅用警報監視盤は、請求項１〜３のいずれかにおいて、上記警報表示部には、警報／トラブル切換スイッチを更に備え、この警報／トラブル切換スイッチの操作によって、上記警報表示窓部に、警報種別の項目を表示する警報表示モードと、上記集合住宅用警報監視盤が監視する各機器、信号線などのトラブル種別の項目を表示するトラブル表示モードとに切換える構成にしている。
【００１３】
請求項５に記載の集合住宅用警報監視盤は、請求項１〜４のいずれかにおいて、上記警報種別または上記トラブル種別の項目の表示には、警報またはトラブル通知を発生する機器の機器コードも含むようにしている。
請求項６に記載の集合住宅用警報監視盤は、請求項１〜５のいずれかにおいて、警報表示部には、表示戻しスイッチを更に備えており、その表示戻しスイッチを操作したときには、上記警報表示部に表示されている警報種別の項目を、上記住戸表示部に表示された住戸番号とともに、前の住戸番号に対応した警報種別項目に順次遡って表示させる構成としている。
【００１４】
試験動作を行って各住戸から警報監視盤に送信された発報信号に基づいた警報項目は、警報監視盤のメモリ内に記憶されているので、試験動作を行った住戸と、その試験動作の内容を確認したい場合に、表示戻しスイッチを操作すれば、住戸単位毎に順次遡って、警報項目を一覧表示させることができる。
請求項７に記載の集合住宅用警報監視盤は、請求項１〜６のいずれかにおいて、上記警報種別またはトラブル種別の項目を上記警報表示窓部に表示する場合に、試験警報の正常あるいは異常、またはトラブルの有無に対応させて異なる表示としている。
【００１５】
【発明の実施の形態】
以下に、本発明の実施の形態について、図面とともに説明する。
図１は、本発明に係る集合住宅用警報監視盤の特徴とする警報表示部の一例を示す図である。
図１において、１は警報表示部、２はＬＥＤや蛍光表示管で構成され、発生した警報の種別の項目を文字表示する警報表示窓部であり、警報／トラブル切換スイッチ７の切換により警報種別かトラブル種別かを表示する。なお、この警報表示窓部２は８文字表示の場合を示しているが、これに限られるものではない。
【００１６】
３は住戸番号を表示する７セグメントＬＥＤよりなる住戸表示部、４は警報表示窓部２に、発生した警報種別やトラブル種別の項目を頭文字や略文字で同時に複数表示するようにさせる一覧性表示スイッチである。
５は警報表示窓部２あるいは住戸表示部３に一度に表示できない表示項目がある場合に、そのことを表示する表示過剰灯、６は表示過剰灯５が点灯あるいは点滅した場合に、警報表示窓部２や住戸表示部３に未表示の表示項目を順次表示させる表示送りスイッチ、７は警報表示窓部２や住戸表示部３の表示項目を順次戻して表示させる表示戻しスイッチである。
【００１７】
なお、ここには図示していないが、表示過剰灯と表示送りスイッチは、警報表示窓部２及び住戸表示部３のそれぞれに対応して設けられる場合もある。
８は警報表示窓部２を警報表示モードとトラブル表示モードに切換える警報／トラブル切換スイッチ、９は警報表示窓部２が警報表示モードであることを示す警報モード表示灯、１０は警報表示窓部２がトラブル表示モードであることを示すトラブルモード表示灯である。
【００１８】
図２は、本発明に係る集合住宅用警報監視盤を含む集合住宅用防災監視システムＧの一例の構成を示すブロック図である。
図２において、１は図１で説明した警報表示部、Ａはその警報表示部１を有する集合住宅用警報監視盤であって、管理人室に設置され、多重信号線Ｌを介して各住戸と共用室に設置された住宅情報盤Ｂに接続されている。住宅情報盤Ｂにはドアホン子器Ｄと各種のセキュリティーセンサＳが接続されいる。
【００１９】
警報監視盤Ａには、管理人室用のドアホン子器Ｅ、ロビーインタホンＣ、警報の音声通知のためのスピーカＳＰ、各種のセキュリティーセンサＳも接続されており、各住戸の住宅情報盤ＢなどがセキュリティーセンサＳによって検知した火災の発生、ガス漏れ、防犯などの警報信号を受けて、住戸毎にその警報種別の項目などを警報表示部１に表示させ、管理人は、その警報表示を見て、警報が発生した住戸とその警報の内容を判断して、その住戸と連絡をとり、適切な対応をすることができる。
【００２０】
ついで、警報表示部１における警報表示の方法について説明する。
警報表示窓部２には、実際の火災発生時などには、「火災」と警報種別の項目を示す文字の全部が表示され、住戸表示部３には、火災発生を検知した火災センサのある住戸の住戸番号が表示される。また、例えば、スプリンクラーが作動した場合には、警報表示窓部２には、「スプリンクラー」、トラブル種別の表示の場合には、「住宅情報盤電源断」などと表示される。
【００２１】
しかし、防災監視システムＧの施工後の動作試験時や、点検時に、セキュリティーセンサ試験器などによって、複数の住戸の多数のセキュリティーセンサＳの多種多数の試験警報が同時に警報監視盤Ａに発生する場合には、かかる警報表示では、一覧性に欠け、迅速な点検をすることができない。
図３は、本発明の警報表示窓部における警報の一覧性表示の表示例１を模式的に示した図で、（ａ）は一覧性表示の前半部、（ｂ）は後半部を示している。
【００２２】
一覧性表示させたい場合には、警報表示部１の一覧性表示スイッチ４をオンすると、警報表示窓部２には、図のような表示がなされる。また、同時に住戸表示部３には、それらの警報を発生した住戸の住戸番号も表示されるので、どの住戸からの警報表示かも分かる。
図３の（ａ）、（ｂ）は、警報種別の項目をそれぞれの内容を示す文字の先頭の１文字などで１文字表示している。
【００２３】
図５は、警報種別の項目の１文字表示と警報内容との対応の一例を示す表である。この表と対応させると、図３の（ａ）、（ｂ）を見ると、その住戸の火災、スプリンクラー、ガス漏れ、ＣＯ、非常、防犯、バスコール、部屋コール、緊急コール、緊急ワイヤレス、トイレ異常、生活異常、水漏れのそれぞれのセンサが、試験警報を正常に発生していることが分かる。
【００２４】
ここで、図３（ｂ）は、図３（ａ）の表示時に、表示過剰灯５が点灯あるいは点滅され、それにしたがって、表示送りスイッチ６を押したときに、表示されるものである。また、図３（ｂ）の状態で、表示戻しスイッチ７を押すと、図３（ａ）が表示される。
試験警報が別の住戸からも同時に警報監視盤Ａに通知されている場合は、表示過剰灯５がさらに点灯あるいは点滅するので、表示送りスイッチ６をさらに押すと、その別の住戸の住戸番号が住戸表示部３に表示され、警報表示窓部２には、その住戸についての警報種別の項目が同様の方法で表示される。この場合にも、表示戻しスイッチ７を押すと、その前に表示した住戸の警報種別の項目が、戻し表示される。
【００２５】
図４は、本発明の警報表示窓部における警報の一覧性表示の表示例２を模式的に示した図で、（ａ）は一覧性表示の前半部、（ｂ）は中間部、（ｃ）は後半部を示している。
図４の（ａ）、（ｂ）、（ｃ）は、表示例１と同様な方法で表示されているが、ここでは、警報表示窓部２の１文字目に機器コードも合わせて表示されている。
【００２６】
機器コードとは、同種のセキュリティーセンサＳが複数ある場合に、その区別をするために、それぞれの機器に付されるコードであり、この機器コードも合わせて表示されることで、同じ住戸内の同種のセンサの内、どのセンサが検知したのかも、知ることができる。ここでは、「Ｉ１」は、住戸内の主住居区域に設置されたセンサからの警報であることを示し、「Ｃ１」は、同じ住戸内の副住居区域に設置されたセンサからの警報であることを示している。
【００２７】
また、図４（ａ）では「Ｃ」が、図４（ｃ）では「ト」が反転表示されているが、これは、それぞれの警報種別が、正常に試験警報を通知していないことを示している。したがって、この表示を見ることによって、それぞれのセキュリティーセンサＳが正常に機能しているか、そうでないかも分かる。
この場合でも、図４（ａ）で、表示過剰灯５が点灯あるいは点滅すれば、それにしたがって、表示送りスイッチ６を押すと、図４（ｂ）が表示され、さらに表示過剰灯５が点灯あるいは点滅すれば、それにしたがって、表示送りスイッチ６を押すと、さらに図４（ｃ）が表示される。また、図４（ｃ）の状態で、表示戻しスイッチ７を押すと、図４（ｂ）が、更に、表示戻しスイッチ７を押すと、図４（ａ）が表示される。
【００２８】
なお、機器コードは、この例のように、住戸内の区域毎にグループでまとめて、表示してもよいが、例えば、火災センサのみが、一住戸に２個設置されている場合には、「火Ｉ１  火Ｉ２」というふうに表示することもできる。
このようにすると、施工後の動作試験時や点検時に、同時に多数の警報表示をさせたいときに、少ないスペースで、分かりやすい、一覧性表示をすることができ、表示装置のコストダウンを図ることができ、また、仕様変更にも、容易に対応することができる。また、戻し表示することができるので、確認に便利であり、各セキュリティーセンサの動作の良否も簡単に知ることができる。
【００２９】
図６は、本発明の警報表示窓部におけるトラブル一覧性表示の表示例１を模式的に示した図で、（ａ）は一覧性表示の前半部、（ｂ）は後半部を示している。本発明の警報表示部１では、警報／トラブル切換スイッチ７の切り替えにより、警報表示窓部２に、警報種別の項目を表示する警報モードとトラブル種別の項目を表示するトラブルモードを切換えることができるが、この図６は、トラブルモードの場合を示している。
【００３０】
トラブルモードとは、警報監視盤Ａや、警報監視盤Ａが監視する住宅情報盤Ｂ、多重信号線Ｌなどの異常、つまり電源断、伝送異常、配線断線、異常作動などのトラブルの種別の項目を表示するモードである。この場合も、上記と同様に、施工時などのトラブル点検において、トラブル種別の項目を一斉表示させたいときには、一覧性表示スイッチ４をオンすると、図のような表示となる。
【００３１】
図８は、トラブル種別の項目の１文字表示とトラブル内容との対応の一例を示す表である。
この表と対応させると、図６の（ａ）、（ｂ）では、その住戸の住宅情報盤Ｂの電源断、感知器配線断、ガス漏れ警報器異常、警報監視盤Ａの電源断、電池異常、２次側配線異常、ワイヤレス電池切れのトラブル表示がなされていることが、一目で分かる。なお、ここでは、例示として、すべての項目について、トラブル表示される場合を示したが、通常は、トラブルのあった機器などのみについて、トラブル表示する。また、場合によっては、上記したように、すべての項目を表示し、トラブルのあった場合にのみ反転表示させるように、また、その逆の表示をしてもよい。
【００３２】
図７は、本発明の警報表示窓部におけるトラブル一覧性表示の表示例２を模式的に示した図で、（ａ）は一覧性表示の前半部、（ｂ）は後半部を示している。この図７は、警報の一覧性表示の表示例２（図４）と同様に、機器コードも合わせて表示する場合を示している。
このようにすると、施工後の動作試験時や点検時に、同時に多数のトラブル表示をさせたいときにも、別にトラブル表示部などを設けることなく、少ないスペースで、分かりやすい、一覧性表示をすることができ、表示装置のより一層のコストダウンを図ることができ、また、仕様変更にも、容易に対応することができる。また、各機器、信号線などのトラブルも簡単に知ることができる。
【００３３】
【発明の効果】
以上の説明からも理解できるように、本発明の請求項１に記載の集合住宅用警報監視盤によれば、施工後の動作試験時や点検時に、警報種別の項目を同時に多数一斉表示させたい場合には、一覧性表示スイッチをオンさせると、発生した警報種別の項目を頭文字や略文字で同時に複数表示するようにしているので、分かりやすい、一覧性表示を得ることができ、表示装置のコストダウンを図ることができ、また、仕様変更にも、容易に対応することができる。また、各セキュリティーセンサの動作の良否も簡単に知ることができる。
【００３４】
請求項２に記載の集合住宅用警報監視盤によれば、請求項１に記載の集合住宅用警報監視盤の効果に加え、表示過剰灯と表示送りスイッチを更に備え、表示過剰灯の点灯あるいは点滅時に、この表示送りスイッチを操作したときには、警報表示窓部に表示されていない表示項目と、住戸表示部に表示されていない表示項目を、順次表示させるようにしているので、警報表示窓部と住戸表示部のスペースが限定されていても、表示すべき、警報種別の項目を必要な分だけ表示することができる。
【００３５】
請求項３に記載の集合住宅用警報監視盤によれば、請求項１に記載の集合住宅用警報監視盤の効果に加え、表示過剰灯と、表示送りスイッチとを上記警報表示窓部、上記住戸表示部のそれぞれに対応して更に備え、上記警報表示窓部、住戸表示部のいずれか、あるいは双方の表示過剰灯が点灯あるいは点滅しているときに、それぞれに対応した表示送りスイッチを操作したときには、上記警報表示窓部、上記住戸表示部のいずれか、あるいは双方に表示されていない表示項目を順次表示させる構成としているので、警報表示窓部と住戸表示部のスペースが限定されていても、表示すべき警報種別の項目を必要な分だけ表示することができる。
【００３６】
請求項４に記載の集合住宅用警報監視盤によれば、、請求項１または２に記載の集合住宅用警報監視盤の効果に加え、警報／トラブル切換スイッチを更に備え、この警報／トラブル切換スイッチの操作によって、警報表示モードとトラブル表示モードとに切換えるようにしているので、同じ警報表示窓部で、トラブル種別の項目も表示することができ、さらにスペースとコストの節約をすることができる。
【００３７】
請求項５に記載の集合住宅用警報監視盤によれば、請求項１〜３のいずれかに記載の集合住宅用警報監視盤の効果に加え、警報種別またはトラブル種別の項目の表示には、警報またはトラブル通知を発生する機器の機器コードも含むようにしているので、同様の機器が複数ある場合でも、どの機器からの警報またはトラブル通知かを知ることができる。
【００３８】
請求項６に記載の集合住宅用警報監視盤によれば、請求項１〜５のいずれかに記載の集合住宅用警報監視盤の効果に加え、警報表示部には、表示戻しスイッチを更に備えており、その表示戻しスイッチを操作したときには、上記警報表示部に表示されている警報種別の項目を、上記住戸表示部に表示された住戸番号とともに、前の住戸番号に対応した警報種別項目に順次遡って表示させる構成としているので、再確認する場合などに便利がよい。
【００３９】
請求項７に記載の集合住宅用警報監視盤は、請求項１〜６のいずれかにおいて、上記警報種別またはトラブル種別の項目を上記警報表示窓部に表示する場合に、試験警報の正常あるいは異常、またはトラブルの有無に対応させて異なる表示としているので、セキュリティーセンサの正常あるいは異常、またはトラブルの有無を簡単に知ることができる。
【図面の簡単な説明】
【図１】本発明に係る集合住宅用警報監視盤の特徴とする警報表示部の一例を示す図である。
【図２】本発明に係る集合住宅用警報監視盤を含む集合住宅用防災監視システムの一例の構成を示すブロック図である。
【図３】本発明の警報表示窓部における警報の一覧性表示の表示例１を模式的に示した図で、（ａ）は一覧性表示の前半部、（ｂ）は後半部を示している。
【図４】本発明の警報表示窓部における警報の一覧性表示の表示例２を模式的に示した図で、（ａ）は一覧性表示の前半部、（ｂ）は中間部、（ｃ）は後半部を示している。
【図５】警報種別の１文字表示と警報内容との対応の一例を示す表である。
【図６】本発明の警報表示窓部におけるトラブル一覧性表示の表示例１を模式的に示した図で、（ａ）は一覧性表示の前半部、（ｂ）は後半部を示している。
【図７】本発明の警報表示窓部におけるトラブル一覧性表示の表示例２を模式的に示した図で、（ａ）は一覧性表示の前半部、（ｂ）は後半部を示している。
【図８】トラブル種別の項目の１文字表示とトラブル内容との対応の一例を示す表である。
【図９】従来の警報監視盤の警報表示部の一例を示す図である。
【図１０】従来の警報監視盤の警報表示部の他の一例を示す図である。
【符号の説明】
１              警報表示部
２              警報表示窓部
３              住戸表示部
４              一覧性表示スイッチ
５              表示過剰灯
６              表示送りスイッチ
７              警報／トラブル切換スイッチ
Ａ              集合住宅用警報監視盤
Ｂ              住宅情報盤
Ｌ              多重信号線
Ｓ              セキュリティーセンサ
【図１】
0003610734.tif 000002
【図２】
0003610734.tif 000003
【図３】
0003610734.tif 000004
【図４】
0003610734.tif 000005
【図５】
0003610734.tif 000006
【図６】
0003610734.tif 000007
【図７】
0003610734.tif 000008
【図８】
0003610734.tif 000009
【図９】
0003610734.tif 000010
【図１０】
0003610734.tif 000011